【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
端末装置同士をネットワークを介して接続し、複数の端末装置間でデータオブジェクトを共有する遠隔協調作業支援システムであって、
前記複数の端末装置の内の第１端末装置における操作に基づくデータオブジェクトを前記複数の端末装置の表示部に共通に表示している際、前記複数の端末装置の内のいずれかの端末装置で表示切替操作が実行されると前記データオブジェクトの表示をキャンセルするキャンセル手段と、
前記第１端末装置において、前記キャンセル手段によってデータオブジェクトの表示がキャンセルされた際に、該データオブジェクトを記憶する記憶手段と、
前記データオブジェクトの処理の再開が指示されると、前記記憶手段により記憶された前記データオブジェクトの表示を再開する再開手段と、
を有することを特徴とする遠隔協調作業支援システム。
【請求項２】
前記第１端末装置を除く端末装置は、前記キャンセル手段によってデータオブジェクトの表示がキャンセルされた際に、該当するデータオブジェクトを削除することを特徴とする請求項１に記載の遠隔協調作業支援システム。
【請求項３】
前記第１端末装置は、前記キャンセル手段によってデータオブジェクトの表示がキャンセルされた際に、該当するデータオブジェクトの表示方法を変更することを特徴とする請求項１又は２に記載の遠隔協調作業支援システム。
【請求項４】
前記表示切替操作は、表示するページの切替操作であることを特徴とする請求項１乃至３のいずれか１項に記載の遠隔協調作業支援システム。
【請求項５】
前記再開手段は、前記記憶手段に記憶された前記データオブジェクトを前記第１端末装置から他の端末装置に送信することを特徴とする請求項１に記載の遠隔協調作業支援システム。
【請求項６】
端末装置同士をネットワークを介して接続し、複数の端末装置間でデータオブジェクトを共有する遠隔協調作業支援システムであって、
前記複数の端末装置の内の第１端末装置で表示切替操作が実行されると当該表示切替を示す切替情報を前記第１端末装置を除く端末装置に送信する送信手段と、
前記送信手段により送信された前記切替情報を各端末装置で記憶させる記憶手段と、
前記送信手段により送信された前記切替情報を受信した第２端末装置が、当該第２端末装置における操作によりデータオブジェクトを操作中かどうかを判別する判別手段と、
前記判別手段により前記データオブジェクトを操作中と判別されると、前記第２端末装置における表示切替を禁止する禁止手段と、
を有することを特徴とする遠隔協調作業支援システム。
【請求項７】
前記判別手段により前記データオブジェクトを操作中でないと判別されると前記第２端末装置に表示切替を実行させ、前記判別手段により前記データオブジェクトを操作中であると判別されると前記データオブジェクトの操作完了後に前記第２端末装置に表示切替を実行させる手段を更に有することを特徴とする請求項６に記載の遠隔協調作業支援システム。
【請求項８】
端末装置同士をネットワークを介して接続し、複数の端末装置間でデータオブジェクトを共有する遠隔協調作業支援システムの制御方法であって、
前記複数の端末装置の内の第１端末装置における操作に基づくデータオブジェクトを前記複数の端末装置の表示部に共通に表示している際、前記複数の端末装置の内のいずれかの端末装置で表示切替操作が実行されると前記データオブジェクトの表示をキャンセルするキャンセル工程と、
前記キャンセル工程によってデータオブジェクトの表示がキャンセルされた際に、該データオブジェクトを前記第１端末装置において記憶する記憶工程と、
前記データオブジェクトの処理の再開が指示されると、前記記憶工程で記憶された前記データオブジェクトの表示を再開する再開工程と、
を有することを特徴とする遠隔協調作業支援システムの制御方法。
【請求項９】
端末装置同士をネットワークを介して接続し、複数の端末装置間でデータオブジェクトを共有する遠隔協調作業支援システムの制御方法であって、
前記複数の端末装置の内の第１端末装置で表示切替操作が実行されると当該表示切替を示す切替情報を前記第１端末装置を除く端末装置に送信する送信工程と、
前記送信工程で送信された前記切替情報を各端末装置で記憶させる記憶工程と、
前記送信工程で送信された前記切替情報を受信した第２端末装置が、当該第２端末装置における操作によりデータオブジェクトを操作中かどうかを判別する判別工程と、
前記判別工程で前記データオブジェクトを操作中と判別されると、前記第２端末装置における表示切替を禁止する禁止工程と、
を有することを特徴とする遠隔協調作業支援システムの制御方法。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】変更
【補正の内容】
【００１１】
本発明の一態様に係る遠隔協調作業支援システムは以下のような構成を備える。即ち、  端末装置同士をネットワークを介して接続し、複数の端末装置間でデータオブジェクトを共有する遠隔協調作業支援システムであって、
前記複数の端末装置の内の第１端末装置における操作に基づくデータオブジェクトを前記複数の端末装置の表示部に共通に表示している際、前記複数の端末装置の内のいずれかの端末装置で表示切替操作が実行されると前記データオブジェクトの表示をキャンセルするキャンセル手段と、
前記第１端末装置において、前記キャンセル手段によってデータオブジェクトの表示がキャンセルされた際に、該データオブジェクトを記憶する記憶手段と、
前記データオブジェクトの処理の再開が指示されると、前記記憶手段により記憶された前記データオブジェクトの表示を再開する再開手段と、
を有することを特徴とする。
【手続補正４】
【補正対象書類名】明細書
【補正対象項目名】００１２
【補正方法】変更
【補正の内容】
【００１２】
本発明の一態様に係る遠隔協調作業支援システムは以下のような構成を備える。即ち、  端末装置同士をネットワークを介して接続し、複数の端末装置間でデータオブジェクトを共有する遠隔協調作業支援システムであって、
前記複数の端末装置の内の第１端末装置で表示切替操作が実行されると当該表示切替を示す切替情報を前記第１端末装置を除く端末装置に送信する送信手段と、
前記送信手段により送信された前記切替情報を各端末装置で記憶させる記憶手段と、
前記送信手段により送信された前記切替情報を受信した第２端末装置が、当該第２端末装置における操作によりデータオブジェクトを操作中かどうかを判別する判別手段と、
前記判別手段により前記データオブジェクトを操作中と判別されると、前記第２端末装置における表示切替を禁止する禁止手段と、
を有することを特徴とする。
【手続補正５】
【補正対象書類名】明細書
【補正対象項目名】００１３
【補正方法】変更
【補正の内容】
【００１３】
本発明の一態様に係る遠隔協調作業支援システムの制御方法は以下のような工程を備える。即ち、
端末装置同士をネットワークを介して接続し、複数の端末装置間でデータオブジェクトを共有する遠隔協調作業支援システムの制御方法であって、
前記複数の端末装置の内の第１端末装置における操作に基づくデータオブジェクトを前記複数の端末装置の表示部に共通に表示している際、前記複数の端末装置の内のいずれかの端末装置で表示切替操作が実行されると前記データオブジェクトの表示をキャンセルするキャンセル工程と、
前記キャンセル工程によってデータオブジェクトの表示がキャンセルされた際に、該データオブジェクトを前記第１端末装置において記憶する記憶工程と、
前記データオブジェクトの処理の再開が指示されると、前記記憶工程で記憶された前記データオブジェクトの表示を再開する再開工程と、
を有することを特徴とする。
【手続補正６】
【補正対象書類名】明細書
【補正対象項目名】００１４
【補正方法】変更
【補正の内容】
【００１４】
本発明の一態様に係る遠隔協調作業支援システムの制御方法は以下のような工程を備える。即ち、
端末装置同士をネットワークを介して接続し、複数の端末装置間でデータオブジェクトを共有する遠隔協調作業支援システムの制御方法であって、
前記複数の端末装置の内の第１端末装置で表示切替操作が実行されると当該表示切替を示す切替情報を前記第１端末装置を除く端末装置に送信する送信工程と、
前記送信工程で送信された前記切替情報を各端末装置で記憶させる記憶工程と、
前記送信工程で送信された前記切替情報を受信した第２端末装置が、当該第２端末装置における操作によりデータオブジェクトを操作中かどうかを判別する判別工程と、
前記判別工程で前記データオブジェクトを操作中と判別されると、前記第２端末装置における表示切替を禁止する禁止工程と、
を有することを特徴とする。
【手続補正７】
【補正対象書類名】明細書
【補正対象項目名】００３９
【補正方法】変更
【補正の内容】
【００３９】
これにより端末装置１０３は、ステップＳ３１１で、ネットワーク１０１を介して端末装置１０２から送信されたデータオブジェクトのキャンセル情報を受け取る。次にステップＳ３１２で、端末装置１０３のデータ制御部２１３は、その受け取った情報を一旦ジョブバッファ２１２に蓄える。次にステップＳ３１３で、データ制御部２１３は、そのジョブバッファ２１２に記憶した入力の中で最初に蓄えられたものを取得する。次にステップＳ３１４で、データ制御部２１３は、この入力に関するデータオブジェクトを識別するためにデータ保管部２１４を検索する。そしてステップＳ３１５で、データ制御部２１３は、ステップＳ３１４のデータ検索で見つかったデータオブジェクト情報を削除する。そしてステップＳ３１６で、データ制御部２１３は、ジョブバッファ２１２のキューの中に未処理のジョブがないか調べる。未処理のジョブがない場合は、端末装置１０２による図５のステップＳ４０１の処理が開始されるが、未処理のジョブがある場合はステップＳ３１３に進み、前述の処理を繰り返す。
【手続補正８】
【補正対象書類名】明細書
【補正対象項目名】００４５
【補正方法】変更
【補正の内容】
【００４５】
これにより端末装置１０３は、まずステップＳ４０９で、ネットワーク１０１を介して通信部２１１により、端末装置１０２から送信されたデータオブジェクトのキャンセル情報を受け取る。次にステップＳ４１０で、端末装置１０３のデータ制御部２１３は、その受け取った情報を一旦ジョブバッファ２１２に蓄える。次にステップＳ４１１で、データ制御部２１３は、ジョブバッファ２１２に蓄えられた入力の中で最初に蓄えられたものを取得する。次にステップＳ４１２で、データ制御部２１３は、この入力に関するデータオブジェクトを識別するためにデータ保管部２１４を検索する。次にステップＳ４１３で、データ制御部２１３は、ステップＳ４１２のデータ検索で見つかったデータオブジェクト情報を表示する。次にステップＳ４１４で、データ制御部２１３はジョブバッファ２１２のキューの中に未処理のジョブがあるかを調べる。未処理のジョブがなかった場合は、この処理を終了するが、未処理のジョブがある場合はステップＳ４１１に進み、前述の処理を繰り返す。
【手続補正９】
【補正対象書類名】明細書
【補正対象項目名】００６７
【補正方法】変更
【補正の内容】
【００６７】
図９は、本実施の形態２に係る端末装置１１０２，１１０３において、ページ切替操作を行う場合の処理を説明するフローチャートである。尚、ここでは説明を簡略化するため、予め端末装置１１０２〜１１０３はそれぞれの通信部を用い、ネットワーク１０１を介してお互いに接続を確立する。そして、遠隔強調作業支援システムの開始処理（システム参加処理、遠隔ホワイトボード機能開始処理など）は既に行われているものとする。また図９のフローチャート開始前には、端末装置１１０２，１１０３は、予め遠隔ホワイトボード機能を開始していて、この遠隔ホワイトボード機能で共有しているホワイトボードは、複数ページで構成されているものとする。更に、端末装置１１０２，１１０３のディスプレイ１１７（２１７）には、ホワイトボードの１ページ目が表示されている。その１ページ目に対し端末装置１１０３のユーザが新規オブジェクトデータの操作中に、端末装置１１０３がページ切替を行うものとする。